(57)【要約】【課題】画像処理装置において、画像データを取込む際の処理負担の増大を可及的に抑制する。【解決手段】ラスタ走査状態で入力される種々の画像サイズの画像データを順次に受け取る画像データ入力部５１と、画像データ入力部からラスタ走査状態で順次に画像データを受け取って画像処理する画像処理部５２とが備えられた画像処理装置において、固定設定されたデータ受渡し用のデータサイズで画像データ入力部から画像処理部へ画像データを渡すように構成され、画像データ入力部に入力される画像の前記１ライン分の画像データのデータサイズが前記データ受渡し用のデータサイズの整数倍でないときに、前記１ライン分の画像データに設定規則に従ってダミーデータを付加して、前記データ受渡し用のデータサイズの整数倍のデータサイズとした状態で前記画像処理部に向けて送るように構成されている。【選択図】図１
2006338410.tif 000002
【特許請求の範囲】
【請求項１】
ラスタ走査状態で入力される種々の画像サイズの画像データを順次に受け取る画像データ入力部と、画像データ入力部からラスタ走査状態で順次に画像データを受け取って画像処理する画像処理部とが備えられた画像処理装置であって、
固定設定されたデータ受渡し用のデータサイズで画像データ入力部から画像処理部へ画像データを渡すように構成され、
前記データ受渡し用のデータサイズは主走査方向の１ライン分の画像データのデータサイズよりも小さいサイズに設定され、
画像データ入力部に入力される画像の前記１ライン分の画像データのデータサイズが前記データ受渡し用のデータサイズの整数倍でないときに、前記１ライン分の画像データに設定規則に従ってダミーデータを付加して、前記データ受渡し用のデータサイズの整数倍のデータサイズとした状態で前記画像処理部に向けて送るように構成されている画像処理装置。
【請求項２】
前記設定規則は、前記１ライン分の画像データの最後尾にのみダミーデータを付加するように設定されている請求項１記載の画像処理装置。
【請求項３】
前記受渡し用のデータサイズに相当する記憶容量を有するＦＩＦＯメモリが備えられ、
前記画像データ入力部が前記入力される画像データのうちの一部のデータ又はそれに前記ダミーデータを付加したデータを前記ＦＩＦＯメモリに順次に書込み、前記画像処理部が前記ＦＩＦＯメモリに書込まれたデータを順次に読出すように構成されている請求項１又は２記載の画像処理装置。
【発明の詳細な説明】
【技術分野】
【０００１】
本発明は、ラスタ走査状態で入力される種々の画像サイズの画像データを順次に受け取る画像データ入力部と、画像データ入力部からラスタ走査状態で順次に画像データを受け取って画像処理する画像処理部とが備えられた画像処理装置に関する。
【背景技術】
【０００２】
かかる画像処理装置において、処理対象の画像データを画像処理部へ取込む手法としては種々の形式が存在するが、例えば下記特許文献１にも記載のようなメモリを介して画像データを受渡しする形態が考えられている。
このような画像データの受渡しの形式では、画像処理部が１回に取込む画像データのデータサイズを受渡しのためのメモリの容量に応じて固定設定して、その固定設定したデータサイズを単位として画像データ入力部に入力された画像データをそのメモリへ書込み、画像処理部はそのメモリの画像データを一括して読出す、という形態をとる場合が多い。
この固定設定するデータサイズとしては、部品コストの低減や種々の画像サイズへの柔軟な対応等のために、１つの画像の画像データにおける主走査方向の１ライン分の画像データのデータサイズよりも小さいサイズに設定される場合が多く、１ライン分の画像データを前記の固定設定したデータサイズの転送データブロックに分割して複数回に分けて転送して画像処理部へ取込む。
【０００３】
このような条件下で画像処理部へ画像データを取込むとき、画像データ入力部に入力される画像の画像サイズに種々の画像サイズが存在するときは、ラスタ走査状態で入力される画像の主走査方向の１ライン分の画像データのデータサイズが、前記メモリを介した１回のデータ転送のデータサイズの整数倍に一致するとは限らず、従来は、図７に模式的に示すように、主走査方向の１ラインの画像データの始端や終端近辺の画像データを含む転送データブロックでは、隣接するラインの画像データを含めていた。
図７では、図面を簡略化する等のために、１画素の１色分の画像データが１バイトで、１回の転送のデータサイズが４バイトであるとして、１色分のデータ転送について示している。
すなわち、図７の最上段に示すように、１の転送データブロックが１バイト分のマスを４個連結したものとして示しており、主走査方向の１ラインの画像サイズが１４画素の画像データを転送すると、１個目〜３個目の転送データブロック（ブロック１〜ブロック３）は、各転送データブロックが１ライン目の画像データのみを転送するものであるが、４個目の転送データブロック（ブロック４）は、１ライン目の画像データと２ライン目の画像データとを含むことになる。
【特許文献１】特開平７−１４６１２０号公報
【発明の開示】
【発明が解決しようとする課題】
【０００４】
従って、上記従来構成では、画像処理部は、画像処理の都合上、受け取った画像データを１ライン毎にまとめる処理行うために、どのタイミングで受け取った転送データブロックが１ラインの終端と次ラインの始端にまたがった転送データブロックになっているかを管理する必要が生じて、処理負担の増大を招いていた。
本発明は、かかる実情に鑑みてなされたものであって、その目的は、画像データを取込む際の処理負担の増大を可及的に抑制する点にある。
【課題を解決するための手段】
【０００５】
本出願の第１の発明は、ラスタ走査状態で入力される種々の画像サイズの画像データを順次に受け取る画像データ入力部と、画像データ入力部からラスタ走査状態で順次に画像データを受け取って画像処理する画像処理部とが備えられた画像処理装置において、固定設定されたデータ受渡し用のデータサイズで画像データ入力部から画像処理部へ画像データを渡すように構成され、前記データ受渡し用のデータサイズは主走査方向の１ライン分の画像データのデータサイズよりも小さいサイズに設定され、画像データ入力部に入力される画像の前記１ライン分の画像データのデータサイズが前記データ受渡し用のデータサイズの整数倍でないときに、前記１ライン分の画像データに設定規則に従ってダミーデータを付加して、前記データ受渡し用のデータサイズの整数倍のデータサイズとした状態で前記画像処理部に向けて送るように構成されている。
【０００６】
すなわち、画像データ入力部から画像処理部へ送られる画像データは、ダミーデータを付加することによって１ライン分の画像データのデータサイズが前記データ受渡し用のデータサイズの整数倍となるので、１ライン分の画像データを前記受渡し用のデータサイズで転送データブロックに分割して、各転送データブロック毎に順次に画像入力部から画像処理部へデータを送ると、画像処理部では、１つの画像を受け取る範囲内において、転送データブロックを何回受け取ったときに１ライン分の画像データを全て受け取ることになるかの関係が常に固定されることになる。
【０００７】
又、本出願の第２の発明は、上記第１の発明の構成に加えて、前記設定規則は、前記１ライン分の画像データの最後尾にのみダミーデータを付加するように設定されている。
すなわち、画像処理部は画像処理の都合上、本来の画像データと付加されたダミーデータとを識別する必要があるが、そのためにはダミーデータとしてどのような値を使用するか、あるいは、ダミーデータをどの位置に付加するか等の前記設定規則を画像処理部側で把握していれば良く、その設定規則は自由に設定することも可能である。
但し、前記設定規則の設定の仕方によっては、本来の画像データとダミーデータとの識別は可能であるものの、その識別のための処理が複雑化してしまう場合もある。
そこで、１ライン分の画像データの最後尾にのみダミーデータを付加することで、本来の画像データとダミーデータとの識別処理を簡素化することが可能となる。
【０００８】
又、本出願の第３の発明は、上記第１又は第２の発明の構成に加えて、前記受渡し用のデータサイズに相当する記憶容量を有するＦＩＦＯメモリが備えられ、前記画像データ入力部が前記入力される画像データのうちの一部のデータ又はそれに前記ダミーデータを付加したデータを前記ＦＩＦＯメモリに順次に書込み、前記画像処理部が前記ＦＩＦＯメモリに書込まれたデータを順次に読出すように構成されている。
従って、小容量のＦＩＦＯメモリを利用して、画像処理部へ効率良く画像データを取込める。
【発明の効果】
【０００９】
上記第１の発明によれば、画像処理部では、１つの画像を受け取る範囲内において、転送データブロックを何回受け取ったときに１ライン分の画像データを全て受け取ることになるかの関係が常に固定されることになるので、１ライン分の画像データをまとめる処理を簡素化することができ、もって、画像データを取込む際の処理負担の増大を可及的に抑制することができる。
又、上記第２の発明によれば、本来の画像データとダミーデータとの識別処理を簡素化することが可能となるので、画像データを取込む際の処理負担の増大を更に抑制することができる。
又、上記第３の発明によれば、小容量のＦＩＦＯメモリを利用して、画像処理部へ効率良く画像データを取込めるので、装置の低コスト化を図ることができる。
【発明を実施するための最良の形態】
【００１０】
以下、本発明の画像処理装置を、写真プリントシステムに備えた場合の実施の形態を図面に基づいて説明する。
写真プリントシステムＤＰは、いわゆるデジタルミニラボと称されるシステムを構成するものであり、図２のブロック図に示すように、現像処理済みの写真フィルム１（以下、単に「フィルム１」と略称する）の駒画像を読み取る写真フィルム読取り装置ＦＳと、写真フィルム読取り装置ＦＳにて読み取った駒画像を印画紙２に露光し且つ現像処理して写真プリントを作製する写真プリント装置ＥＰとから構成されている。
【００１１】
〔写真フィルム読取り装置ＦＳの概略構成〕
写真フィルム読取り装置ＦＳは、筐体内に、図２に概略的に示すように、ハロゲンランプ１０と、光ファイバー束にて構成されるライトガイド１１と、フィルム１の駒画像を光電変換により読取るためのフィルム画像検出用センサ１３と、フィルム１の駒画像をフィルム画像検出用センサ１３の受光面上に結像させるためのズームレンズ１４と、光路を９０度屈曲させるためのミラー１５と、フィルム画像検出用センサ１３の出力信号を増幅及びＡ／Ｄ変換等する信号処理回路１６とが設けられている。
写真フィルム読取り装置ＦＳの筐体外部には、ライトガイド１１の光出射端の下部に位置する状態で、図示を省略するフィルム搬送機構等が備えられてフィルム１を所定の読取り位置に位置させるフィルムキャリア１２が着脱自在に備えられている。
【００１２】
フィルム画像検出用センサ１３は、約５０００個の受光素子を備えて集積化されたＣＣＤラインセンサを３列に並べて、各ＣＣＤラインセンサの長手方向（主走査方向）がフィルム１の搬送方向である副走査方向と直交する姿勢で配置されており、各ＣＣＤラインセンサの受光面には夫々赤色、緑色、青色のカラーフィルタが形成されて、フィルム１の駒画像を色分解して検出する。
【００１３】
〔写真プリント装置ＥＰの全体構成〕
写真プリント装置ＥＰは、図２に示すように、筐体内部に、印画紙２に露光画像を形成する露光ヘッド２１と、露光形成する画像の画像データに基づいて露光ヘッド２１を制御する露光制御装置２２と、露光ヘッド２１にて露光された印画紙２を現像処理する現像処理装置２３と、印画紙マガジン８から引き出された印画紙２を多数の搬送ローラ３１にて現像処理装置２３へ搬送する印画紙搬送系ＰＴとが設けられ、筐体外部には、現像処理装置２３にて現像された印画紙２をオーダ毎に一時的に保存するためのソータ（図示を省略）と、現像処理装置２３から排出された印画紙２をソータへ搬送する排出コンベア２６とが設けられ、更に、これら各部を制御する主制御装置２７が筐体内に設けられている。
印画紙搬送系ＰＴの搬送経路の途中には、印画紙マガジン８から引き出された長尺の印画紙２を主制御装置２７から指示されたプリントサイズに切断するカッタ３２と、印画紙２の搬送列を振分ける振分け装置３３とが備えられている。
露光ヘッド２１は、画像データに基づいて強度変調されたレーザビームを搬送駆動される印画紙２上で走査して画像を露光形成するように構成されている。
【００１４】
主制御装置２７は、パーソナルコンピュータにて構成され、プリント画像をシミュレートしたシミュレート画像や各種の制御情報等を表示するためのモニタ２７ａと、操作者がそのモニタ２７ａに表示されたシミュレート画像を観察して露光条件の補正量を指示入力するための操作卓２７ｂと、メモリーカードリーダ／ライタ，光磁気ドライブ装置及びＣＤ−Ｒ／ＲＷドライブ装置等の各種のドライブ装置を備える外部入出力装置２７ｃとが接続されている。外部入出力装置２７ｃを備えることによって、写真フィルム読取り装置ＦＳから入力されたフィルム１の画像データ以外に、ＣＤ−Ｒメディア等の各種の記録媒体に記録された画像データによって写真プリントを作製することができると共に、写真フィルム読取り装置ＦＳにて読み取った画像データをそれらの記録媒体に記録保存することができる。
【００１５】
主制御装置２７の本体基板４１には、図１に概略的に示すように、写真フィルム読取り装置ＦＳにて読取ったフィルム１の駒画像の読取り画像データを受け取るための画像データ受信基板４２と、写真フィルム読取り装置ＦＳから受け取った画像データを画像処理する画像処理装置ＩＰとが、拡張基板として組み付けられている。
画像データ受信基板４２には、写真フィルム読取り装置ＦＳと通信するための送受信インターフェース４２ａと写真フィルム読取り装置ＦＳから受け取った画像データを一時的に記憶保持する受信メモリ４２ｂとが備えられている。
画像処理装置ＩＰは、複数の拡張基板にて構成されて、入力される画像データをパイプライン的に処理するが、図１では、最も入力側の拡張基板のみを示している。
【００１６】
図１に示す画像処理装置ＩＰには、画像処理装置ＩＰへのデータの取り込みを制御してラスタ走査状態で入力される画像データを順次に受け取る画像データ入力部５１と、画像データ入力部５１からラスタ走査状態で順次に画像データを受け取って画像処理する画像処理部５２と、画像データ入力部５１から画像処理部５２へ画像データを受渡しするためのメモリ５３と、画像処理部５２で処理の完了した画像データを他の画像処理基板（図示を省略）へ送出するための送受信インターフェース５４とが備えられている。
メモリ５３は具体的にはＦＩＦＯメモリにて構成され、画像データ入力部５１はＦＰＧＡにて論理回路として構成され、画像処理部５２はＤＳＰを備えて構成されている。
画像処理部５２は、入力された画像の主走査方向の１ライン内においてフィルム画像検出用センサ１３の感度バラツキ補正等の画像処理を実行する。
画像データ入力部５１へは種々の画像サイズの画像の画像データが入力されるのを予定しており、画像処理装置ＩＰは種々の画像サイズの画像に対応できるように構成されている。
【００１７】
〔画像処理装置ＩＰへの画像データの取り込み〕
次に、画像処理装置ＩＰにて処理対象となる画像データの画像処理装置ＩＰへの取り込みについて説明する。
写真フィルム読取り装置ＦＳにて読取られた画像データは、画像データ受信基板４２の受信メモリ４２ｂに記憶保持され、その受信メモリ４２ｂの画像データは画像データ入力部５１を経由して画像処理部５２へ取込まれる。
画像データ入力部５１を経由した画像処理部５２への画像データの取り込みは、固定設定されたデータ受渡し用のデータサイズを単位として行い、そのデータ受渡し用のデータサイズで画像データ入力部５１から画像処理部５２へ画像データを渡す。
すなわち、各画像の画像データを、前記データ受渡し用のデータサイズの大きさのブロック（「転送データブロック」と称する）に分割して、その転送データブロック単位で順次に受渡しする。
【００１８】
前記データ受渡し用のデータサイズは、入力される画像の主走査方向の１ライン分の画像データのデータサイズよりも十分に小さいサイズに設定され、本実施の形態では、前記データ受渡し用のデータサイズすなわち１つの転送データブロックのデータサイズは、メモリ５３の記憶容量と一致させてあり、例えば１００バイト程度のサイズとしている。
画像データの具体的な転送形態を、図３の画像データのデータ並びを模式的，並びに，図４乃至図６のフローチャートに基づいて説明する。
図４は画像データ入力部５１にて実行される処理であり、画像データ入力部５１は実質的に図４の処理を実行するように論理回路が構成されている。
又、図５及び図６は画像処理部５２のＤＳＰによって実行される。
【００１９】
以下、写真フィルム読取り装置ＦＳにて読取った画像データが画像データ受信基板４２の受信メモリ４２ｂに取込まれた状態から説明する。
尚、以下の説明では、図面を簡略化する等のために、１画素の１色分の画像データが１バイトで、前記受渡し用のデータサイズが４バイトであるものとして、１色分のデータ転送について説明する。すなわち、図３の最上段に示すように、１の転送データブロックが１バイト分のマスを４個連結したものとして示している。尚、実際には、前記受渡し用のデータサイズは上述のように１００バイト程度に設定されている。
画像データを画像処理装置ＩＰへ取込むときは、主制御装置２７の本体基板４１側から画像データ入力部５１へ画像データの取り込みを指示する。
画像データ入力部５１は、この画像データの取り込み指示を受け取るに伴って図４の処理を開始する。
先ず、画像データ入力部５１が本体基板４１側から受け取る画像データの取り込み指示には、これから転送する画像のサイズの情報が含まれ、画像データ入力部５１は、先ず、その画像サイズの情報を抽出する（ステップ＃１）。
画像データ入力部５１は、画像サイズの情報を抽出すると、その画像サイズの情報を画像処理部５２へ送信する（ステップ＃２）。
【００２０】
これに伴って、画像処理部５２は図５の処理を開始して、これから受信する画像の画像サイズの情報を取得する（ステップ＃２１）。
画像データ入力部５１では、画像サイズの情報の取得後、メモリ５３に画像データを書込む際に付加するダミーデータの数と、ダミーデータを付加するタイミングを特定する（ステップ＃３）。
【００２１】
このダミーデータの付加について、図３に基づいて説明する。
図面での説明を容易にするために、受け取る画像の画像サイズが、主走査方向（横幅方向）で１４画素であるとして説明すると、１色あたりの主走査方向の１ラインの画像データサイズは１４バイトとなる。
上述のように１つの転送データブロックのデータサイズは４バイトであるので、そのまま各転送データブロックに画像データを充填すると、従来技術として説明した図７のように、１つの転送データブロック内に異なるラインの画像データが混在してしまうことになってしまう。
【００２２】
そこで、画像データ入力部５１に入力される画像データの１ライン分（主走査方向の１ライン分）の画像データのデータサイズが前記データ受渡し用のデータサイズ（１つの転送データブロックのデータサイズ）の整数倍でないときに、１ライン分の画像データに設定規則に従ってダミーデータを付加して、前記データ受渡し用のデータサイズの整数倍のデータサイズとするのである。
図３の事例で説明すると、画像データ入力部５１に入力される画像データにおいて、主走査方向の１ライン分の画像データのデータサイズが１４バイトであり、前記データ受渡し用のデータサイズ（４バイト）の整数倍ではないので、１ライン分の画像データに２バイトのダミーデータを付加して、前記データ受渡し用のデータサイズ（４バイト）の整数倍である１６バイトとする。
更に詳細には、前記設定規則として、主走査方向の１ライン分の画像データの後（最後尾）にのみダミーデータを付加する。
従って、図３の例では、「１ライン目」の画像データにおいて、「ブロック１」〜「ブロック３」の各転送データブロックは、ラスタ走査状態で入力されてくる画像データをそのまま使用し、「１ライン目」の後端部分の画像データを含む「ブロック４」については、本来の画像データである２バイトのデータの後に、図３中において点線の斜線を付したマスで示すダミーデータを２バイト分付加する。「２ライン目」以降についても同様である。尚、ダミーデータの値は任意の値で良い。
【００２３】
図４のステップ＃３では、図３の例で、１ラインあたり２バイトのデータをダミーデータとして付加することと、そのダミーデータを付加する位置として、４ブロック目毎に本来の画像データの２バイトの後に付加することとを特定する。１ライン分の画像データのデータサイズが前記データ受渡し用のデータサイズの整数倍となるときは、いずれの転送データブロックにもダミーデータを付加しないように特定する。
これに対応して、画像処理部５２側においても、画像データ入力部５１から受け取った画像サイズの情報から、新たに画像データ入力部５１から送られてくるデータに含まれるダミーデータの数と位置とを特定し、その特定結果を保持しておく（図５のステップ＃２２）。
すなわち、図３の例では、１ラインあたり２バイトのダミーデータが付加されており、そのダミーデータの存在位置として、４ブロック目毎の後端の２バイトであることを特定する。
【００２４】
画像データ入力部５１は、ステップ＃３でダミーデータの付加条件を特定した後、メモリ５３が新規のデータの書込みが可能な状態となっていれば（ステップ＃４）、主制御装置２７の本体基板４１側に、データ数を指定して画像データの送信を要求する。この際、そのときの転送データブロックが、ダミーデータを付加しない転送データブロックであれば（ステップ＃５）、標準のデータ数としてメモリ５３の容量いっぱいの１００バイト程度に相当するデータ数（図３の簡単化した説明では４バイトの容量となる４個のデータ）の送出を要求し（ステップ＃６）、ダミーデータを付加するように特定した転送データブロックであるときは（ステップ＃５）、主走査方向の１ラインの端数のデータ数、すなわち、１ライン分の画像データ数を転送データブロックのデータサイズに相当するデータ数で除したあまりのデータ数（図３の簡単化した説明では２バイトの容量となる２個のデータ）の送出を要求する（ステップ＃７）。
【００２５】
これに伴って、受信メモリ４２ｂに記憶保持されている画像データの画像データ入力部５１に向けてのラスタ走査状態での送出が開始され、画像データ入力部５１はこの画像データの受取りを開始すると（ステップ＃８）、受け取った画像データをメモリ５３へ書込んでいく（ステップ＃９）。
更に、そのときの転送データブロックが、ダミーデータを付加するように特定した転送データブロックであるときは（ステップ＃１０）、その転送データブロックの実画像データとして受け取った画像データをメモリ５３へ書込んだ後に、ステップ＃３において特定したデータ数のダミーデータを書込む（ステップ＃１１）。
【００２６】
メモリ５３へのデータの書込みが完了すると、画像処理部５２に対してメモリ５３のデータの読取りを要求する信号を割り込み信号として送信する（ステップ＃１２）。
画像処理部５２は、この読取り要求信号を受信すると、図６に示す割り込み処理を起動する。
先ず、メモリ５３に書込まれているデータを、１つの転送データブロック分について全て読取る（ステップ＃３１）。
図５のステップ＃２２において特定した情報に基づいて、受け取った転送データブロックがダミーデータを含む１ラインの後端部分のブロックであるときは（ステップ＃３２）、ダミーデータを除去する（ステップ＃３３）。
このように適宜にダミーデータが除去されたデータ（実画像データのみからなるもの）は、画像処理部５２に内蔵されているメモリに書込まれる（ステップ＃３４）。
画像処理部５２では、この後、１ライン分の画像データを受け取る毎に、所定の画像処理を実行して、その処理結果の画像データを後段の画像処理基板へ送る。
画像データ入力部５１は、ステップ＃４〜ステップ＃１２の処理を繰り返し、１つの画像についての全ての画像データの転送データブロックの転送を終了すると（ステップ＃１３）、図４の処理を終了する。
【００２７】
〔写真プリントシステムＤＰの全体動作〕
次に、写真プリントシステムＤＰの全体動作について、フィルム１の読取り画像に基づいて写真プリントを作製する場合を例示して、概略的に説明する。
フィルム１がフィルムキャリア１２にセットされるとそのフィルム１の搬送駆動が開始され、フィルム１の駒画像がフィルム画像検出用センサ１３にて読取られて、信号処理回路１６にてデジタル画像データに変換された後、主制御装置２７へ順次に送られる。
【００２８】
主制御装置２７は、写真フィルム読取り装置ＦＳから受け取った画像データを上述のようにして画像処理装置ＩＰへ送り、所定の画像処理を実行させる。
画像処理装置ＩＰにて画像処理後の画像データは、モニタ２７ａに表示されるシミュレート画像の作製等に利用される。
オペレータは、モニタ２７ａに表示されたシミュレート画像を観察して、適宜露光条件の補正入力を操作卓２７ｂから行う。
主制御装置２７は、操作卓２７ｂから補正入力があると、その指示に基づいて露光条件を修正して画像処理後の画像データから露光用の画像データを生成し、その画像データを露光制御装置２２へ送る。
露光制御装置２２は、印画紙２の搬送駆動と連動して、受け取った露光用の画像データに基づいて露光ヘッド２１を駆動し、露光位置を搬送される印画紙２に対して潜像として画像を露光形成する。
露光ヘッド２１にて露光処理された印画紙２は、現像処理装置２３にて現像処理及び乾燥処理された後、排出コンベア２６上に排出され、写真プリントとして仕上げられる。
【００２９】
〔別実施形態〕
以下、本発明の別実施形態を列記する。
（１）上記実施の形態では、画像データ入力部５１と画像処理部５２との間の画像データの受渡しのためにＦＩＦＯメモリにより構成されるメモリ５３を用いているが、メモリ５３の構成は各種形式のメモリを用いることができる。
又、メモリ５３がＦＩＦＯメモリでないときには、本来の画像データにダミーデータを付加する形態としては、本来の画像データをメモリ５３へ書込んだ後、ダミーデータを付加すべきメモリエリアには書込み処理を行わず、もともと残っているデータをそのままダミーデータとして用いても良い。
（２）上記実施の形態では、ダミーデータを付加する位置として、１ラインの画像データの最後尾に付加する場合を例示しているが、１ラインの画像データの中間位置に付加したり、あるいは、１ラインの画像データの各転送データブロックに分散して配置する等、ダミーデータを付加する設定規則が画像データ入力部５１と画像処理部５２とで共有されておりさえすれば、ダミーデータの付加態様は適宜に変更可能である。
【図面の簡単な説明】
【００３０】
【図１】本発明の実施の形態にかかる要部ブロック構成図
【図２】本発明の実施の形態にかかる写真プリントシステムの概略ブロック構成図
【図３】本発明の実施の形態にかかるダミーデータの付加態様を説明する図
【図４】本発明の実施の形態にかかるフローチャート
【図５】本発明の実施の形態にかかるフローチャート
【図６】本発明の実施の形態にかかるフローチャート
【図７】従来のデータ転送の態様を説明する図
【符号の説明】
【００３１】
５１  画像データ入力部
５２  画像処理部
５３  ＦＩＦＯメモリ
【図１】
2006338410.tif 000003
【図２】
2006338410.tif 000004
【図３】
2006338410.tif 000005
【図４】
2006338410.tif 000006
【図５】
2006338410.tif 000007
【図６】
2006338410.tif 000008
【図７】
2006338410.tif 000009